(57)【要約】【課題】着脱可能な情報媒体に格納されている情報を読み出す情報媒体駆動部と、電源部とを備える画像表示装置を使用する場合のユーザの利便性を向上させる技術を提供する。【解決手段】画像表示装置であって、商用電源から入力される電力に基づいて、画像表示装置の動作に要する電力を出力する電源部と、表示部と、着脱可能な情報媒体の装着有無を検出すると共に、情報媒体に格納されている情報を読み出す、情報媒体駆動部と、画像処理部と、電源部を制御する制御部と、を備え、制御部は、情報媒体駆動部に情報媒体が装着されている場合に、電源部からの電力の出力を停止させる旨の第１回目の停止指示がなされた場合には、情報媒体が装着されている旨を報知させ、報知の後に、電源部からの電力の出力を停止させる旨の第２回目の停止指示がなされた場合に、電源部からの電力の出力を停止させる、画像表示装置。【選択図】図１
2010003385.tif 000002
【特許請求の範囲】
【請求項１】
画像表示装置であって、
商用電源から入力される電力に基づいて、前記画像表示装置の動作に要する電力を出力する電源部と、
表示部と、
着脱可能な情報媒体の装着有無を検出すると共に、前記情報媒体に格納されている情報を読み出す、情報媒体駆動部と、
前記情報媒体駆動部によって読み出された前記情報に基づいて、前記表示部に画像を表示させる画像処理部と、
前記電源部を制御する制御部と、
を備え、
前記制御部は、
前記情報媒体駆動部に前記情報媒体が装着されている場合に、前記電源部からの電力の出力を停止させる旨の第１回目の停止指示がなされた場合には、前記情報媒体が装着されている旨を報知させ、前記報知の後に、前記電源部からの電力の出力を停止させる旨の第２回目の停止指示がなされた場合に、前記電源部からの電力の出力を停止させる、画像表示装置。
【請求項２】
請求項１記載の画像表示装置において、
前記制御部は、
前記情報媒体が装着されている旨の報知として、前記表示部に前記情報媒体が装着されている旨のメッセージを表示させる、画像表示装置。
【請求項３】
請求項１または２記載の画像表示装置において、
前記制御部は、
前記情報媒体が装着されている旨を報知させた後、再度、前記第２回目の停止指示がなされることなく、所定の時間が経過した場合には、前記報知を停止させると共に、前記第１回目の停止指示を無効にする、画像表示装置。
【請求項４】
請求項１ないし３のいずれか１つに記載の画像表示装置であって、
前記表示部は、
光源と、
前記光源からの光を変調する変調部と、
前記変調された光によって形成される前記画像を、被投写面に投写させる投写レンズと、
を備える、画像表示装置。
【請求項５】
請求項４に記載の画像表示装置において、
前記表示部は、前記投写レンズを通って出力される光を遮光するための遮光部を、さらに備え、
前記制御部は、前記遮光部によって、遮光されている場合には、前記第１回目の停止指示がなされたら、前記情報媒体の装着有無に関わらず、前記電源部からの電力の出力を停止させる、画像表示装置。
【請求項６】
着脱可能な情報媒体の装着有無を検出すると共に、前記情報媒体に格納されている情報を読み出す、情報媒体駆動部と、電源部を備える画像表示装置において、前記電源部を制御する電源制御方法であって、
（ａ）前記電源部からの電力の出力を停止させる旨の第１回目の停止指示がなされた場合に、前記情報駆動部に前記情報媒体が装着されているか否かを判定する工程と、
（ｂ）前記工程（ａ）において、前記情報媒体が装着されていると判定された場合に、前記情報媒体が装着されている旨を報知する工程と、
（ｃ）前記工程（ｂ）における前記報知の後に、前記電源部からの電力の出力を停止させる旨の第２回目の停止指示がなされた場合に、前記電源部からの電力の出力を停止させる工程と、
を備える、電源制御方法。
【発明の詳細な説明】
【技術分野】
【０００１】
本発明は、着脱可能な情報媒体に格納されている情報を読み出す情報媒体駆動部と、電源部とを備える画像表示装置に関する。
【背景技術】
【０００２】
例えば、ＤＶＤ（Digital Versatile Disc）等の光ディスクを、再生可能に構成された光ディスクプレーヤを用いる場合に、ユーザが、光ディスクドライブに、光ディスクを入れたまま、電源スイッチを操作して、電源を切る場合がある。光ディスクプレーヤにおいて、電源が切られると、光ディスクドライブに光ディスクが入っているか否かを判断するのは困難である。そのため、例えば、その光ディスクが、レンタル業者から借りた商品だった場合に、ユーザは、光ディスクを光ディスクプレーヤから取り出し忘れたことに気づかず、収容ケースだけをレンタル業者に返却してしまう場合がある。このような問題を解決するために、光ディスクが入ったままの状態で、ユーザが電源を切る操作を行なうと、アラーム音が出力される技術が提案されている（例えば、特許文献１参照）。
【０００３】
【特許文献１】特開昭６３−２１７５６８号公報
【発明の開示】
【発明が解決しようとする課題】
【０００４】
しかしながら、上記特許文献１に記載の構成では、アラーム音を出すとともに電源を切る構成であるため、ユーザがアラーム音に気づいて、光ディスクを取り出そうとすると、再度、電源を投入する必要があった。ユーザは、光ディスクを取り出すために、光ディスクプレーヤが起動されるまで長時間待つ場合があり、不便であった。
【０００５】
そこで、本発明は、上記の従来技術の課題に鑑みて、着脱可能な情報媒体に格納されている情報を読み出す情報媒体駆動部と、電源部とを備える画像表示装置を使用する場合のユーザの利便性を向上させる技術を提供することを目的とする。
【課題を解決するための手段】
【０００６】
本発明は、上述の課題の少なくとも一部を解決するためになされたものであり、以下の形態又は適用例として実現することが可能である。
【０００７】
［適用例１］  画像表示装置であって、
商用電源から入力される電力に基づいて、前記画像表示装置の動作に要する電力を出力する電源部と、
表示部と、
着脱可能な情報媒体の装着有無を検出すると共に、前記情報媒体に格納されている情報を読み出す、情報媒体駆動部と、
前記情報媒体駆動部によって読み出された前記情報に基づいて、前記表示部に画像を表示させる画像処理部と、
前記電源部を制御する制御部と、
を備え、
前記制御部は、
前記情報媒体駆動部に前記情報媒体が装着されている場合に、前記電源部からの電力の出力を停止させる旨の第１回目の停止指示がなされた場合には、前記情報媒体が装着されている旨を報知させ、前記報知の後に、前記電源部からの電力の出力を停止させる旨の第２回目の停止指示がなされた場合に、前記電源部からの電力の出力を停止させる、画像表示装置。
【０００８】
この画像表示装置によれば、情報媒体が装着された状態で、ユーザが電源部からの電力の出力を停止させようとした場合に、電力の出力を停止させる旨の指示（例えば、リモートコントローラの電源ボタンを操作する）を、２度行なわないと、電力の出力が停止されない。そのため、ユーザが、１度目の停止指示の後に、情報媒体を取り出す場合には、まだ、情報媒体駆動部に、電源部から電力が供給されているため、ユーザは、電源の投入操作は必要なく、迅速かつ容易に、情報媒体を取り出すことができ、ユーザの利便性を向上させることができる。
【０００９】
［適用例２］  適用例１に記載の画像表示装置において、
前記制御部は、
前記情報媒体が装着されている旨の報知として、前記表示部に前記情報媒体が装着されている旨のメッセージを表示させる、画像表示装置。
【００１０】
このようにすると、ユーザは、表示部に表示されるメッセージを視認することによって、情報媒体が装着されていることを知覚することができる。
【００１１】
［適用例３］  適用例１または２に記載の画像表示装置において、
前記制御部は、
前記情報媒体が装着されている旨を報知させた後、再度、前記第２回目の停止指示がなされることなく、所定の時間が経過した場合には、前記報知を停止させると共に、前記第１回目の停止指示を無効にする、画像表示装置。
【００１２】
このようにすると、第１回目の停止指示がなされて、画像表示装置が情報媒体が装着されている旨を報知した後、ユーザが何も操作を行なわないうちに、所定の時間が経過した場合には、電源部からの電力の出力は継続される。そして、第１回目の停止指示が無効にされるため、電源部からの電力の出力が継続されていることに気づいたユーザが、例えば、リモートコントローラの電源キーを操作すると、その電源オフ指示は、第１の停止指示に相当し、再度、情報媒体が装着されている旨が報知されることになる。したがって、ユーザが、情報媒体が入ったままであることに気づく可能性が向上される。
【００１３】
［適用例４］  適用例１ないし３のいずれか１つに記載の画像表示装置において、
前記表示部は、
光源と、
前記光源からの光を変調する変調部と、
前記変調された光によって形成される前記画像を、被投写面に投写させる投写レンズと、
を備える、画像表示装置。
【００１４】
［適用例５］  適用例４に記載の画像表示装置において、
前記表示部は、前記投写レンズを通って出力される光を遮光するための遮光部を、さらに備え、
前記制御部は、前記遮光部によって、遮光されている場合には、前記第１回目の停止指示がなされたら、前記情報媒体の装着有無に関わらず、前記電源部からの電力の出力を停止させる、画像表示装置。
【００１５】
例えば、遮光部によって遮光されている場合には、情報媒体が装着されている旨のメッセージが表示されないため、ユーザは、情報媒体が装着されていることに気づかず、何も操作をしないおそれがある。その場合に、電源部からの電力の出力が停止されずに放置されると、光源の発熱等により、画像表示装置が高温になって破損したり、投写レンズが変形するおそれがある。
【００１６】
これに対して、適用例５の画像表示装置によれば、遮光部によって、遮光されている場合には、情報媒体が装着された状態であって、第２回目の停止指示がなくても、電源部からの電力の出力が停止されるため、上記した、画像表示装置の破損や、投写レンズの変形等の問題が生じるのを低減することができる。  
【００１７】
なお、本発明は、上記した画像表示装置の態様に限ることなく、電源制御方法、これらの方法または装置の機能を実現するためのコンピュータプログラム、そのコンピュータプログラムを記録した記録媒体等の種々の態様で実現することができる。
【発明を実施するための最良の形態】
【００１８】
以下、本発明を実施するための最良の形態を、実施例に基づいて、以下の順序で説明する。
Ａ．実施例：
Ａ−１．実施例の構成：
Ａ−２．実施例の動作：
Ａ−３．実施例の効果
Ｂ．変形例：
【００１９】
Ａ．実施例：
Ａ−１．実施例の構成
図１は、本発明の一実施例としてのプロジェクタ１００の構成を示すブロック図である。プロジェクタ１００は、画像を表す画像光を投写して、図示せざるスクリーン上に画像を表示させる。プロジェクタ１００は、電源部１０と、ＣＰＵ２０と、画像処理部３０と、メモリ４０と、外部信号入力部５０と、光ディスク駆動部６０と、リモコン制御部７０と、タイマ部９０と、光源ランプ８２と、液晶パネル８４と、投写光学系８６と、を備えている。図示するように、電源部１０と、ＣＰＵ２０と、画像処理部３０と、メモリ４０と、外部信号入力部５０と、光ディスク駆動部６０と、リモコン制御部７０と、タイマ部９０は、バス９８を介して互いに接続されている。本実施例におけるプロジェクタ１００が、請求項における画像表示装置に相当する。
【００２０】
電源部１０は、ＡＣ１００Ｖ等の商用電源２００を入力して、プロジェクタ１００の各種動作に必要な直流の電源電圧を生成したり、光源ランプ８２を駆動させるための光源駆動電力を生成して、各部に電力を供給（出力）する。
【００２１】
ＣＰＵ２０は、メモリ４０に記憶された制御プログラムを読み出して実行することにより、プロジェクタ１００内の各部の動作を制御する。また、後述するように、リモコン制御部７０を通じて受け取る、ユーザからの指示等に応じて、電源部１０を制御する。本実施例におけるＣＰＵ２０が、請求項における制御部に相当する。
【００２２】
画像処理部３０は、外部信号入力部５０や光ディスク駆動部６０から供給される画像データに対して、画像処理を施して、処理済み画像データを、液晶パネル８４に供給する。
【００２３】
外部信号入力部５０は、例えば、外部接続用コネクタ(図示しない)に接続されたＰＣ（パーソナルコンピュータ）、光ディスクプレーヤ、外部メモリ等、外部から供給される画像音声データに基づいて、画像データおよび音声データを生成し、画像処理部３０や、図示せざる音声処理部に供給する。
【００２４】
光ディスク駆動部６０は、例えば、ＤＶＤやＢＤ（ブルーレイディスク：Blu-ray Disc（登録商標））等の光ディスク３００を、装着可能に構成され、装着された光ディスク３００から読み出した画像音声データに基づいて、画像データおよび音声データを生成し、画像処理部３０や、図示せざる音声処理部に供給する。また、光ディスク３００の装着有無を検出し、検出結果を、ＣＰＵ２０に供給する。本実施例における光ディスク駆動部６０が、請求項における情報媒体駆動部に、光ディスク３００が、請求項における情報媒体に、それぞれ、相当する。
【００２５】
リモコン制御部７０は、リモコン７２を通じたユーザからの指示を受信し、バス９８を介してその指示をＣＰＵ２０に伝える。なお、本実施例では、プロジェクタ１００は、ユーザからの指示を、リモコン７２およびリモコン制御部７０を通じて受け取るものとしているが、ユーザからの指示を例えば操作パネルなどの他の構成を通じて受け取るものとすることも可能である。
【００２６】
光源ランプ８２は、液晶パネル８４に光を照射するものであって、電源部１０で生成された光源駆動電力により点灯動作を行なう。液晶パネル８４は、透過型の液晶パネルと液晶パネル駆動部を備え、画像処理部３０から与えられる画像データに基づいて、光源ランプ８２から射出された光を変調し、画像を表す光を射出する。
【００２７】
投写光学系８６は、投写レンズ８６１と、レンズシャッタ８６２とを備え、液晶パネル８４から射出された光をスクリーン（図示しない）上に投写し、この結果、スクリーン上に画像が表示される。レンズシャッタ８６２は、投写光学系８６の備える投写レンズ８６１の前方に設けられ、レンズシャッタ８６２を開閉することにより、レンズを通して発せられる、画像を表す光を通過させたり、遮断したりするものである。レンズシャッタ８６２としては、例えば、２枚の遮光版を投写レンズ８６１の前方（すなわち、投写レンズ８６１の外側）に備え、回転するギアで遮光版の姿勢を制御して遮光版を開閉する方式のものを用いる。その他、３枚以上の遮光版を用いる方式や、レンズカバー様のものを開閉する方式でもよい。
【００２８】
例えば、プロジェクタ１００を使ったプレゼンテーション中に、プレゼンテーション効果を高めたり、説明者の眩しさを防止するため等、説明の間にプロジェクタの投写を一時的に停止したい場合がある。プロジェクタの投写を停止させる方法としては、画像信号を黒色（全黒）に変換したり、電源を切る方法があるが、これらの方法では、投写を再開するための時間がかかり、操作も複雑である。それに対し、レンズシャッタによって、投写レンズの前面を遮断すれば、遮光されるため、プロジェクタの複雑な操作を行なうことなく、レンズシャッタの開閉だけで画像の投写を制御できる。
【００２９】
本実施例における光源ランプ８２が、請求項における光源に、液晶パネル８４が、請求項における変調部に、それぞれ、相当する。また、本実施例における光源ランプ８２、液晶パネル８４、および投写光学系８６が、請求項における表示部に相当する。
【００３０】
Ａ−２．実施例の動作：
図２は、本実施例のプロジェクタ１００における電力供給停止処理の流れを説明するためのフローチャートである。まず、プロジェクタ１００の光ディスク駆動部６０に光ディスク３００が装着された状態で、ユーザがリモコン７２を用いて、電源オフの指示をした場合を例に挙げて、説明する。
【００３１】
ＣＰＵ２０は、リモコン制御部７０を介して、ユーザからの電源オフ指示（請求項における第１回目の停止指示に相当する）を受け取ると（ステップＳ１０２）、スリープモードによる電源オフ指示か否か判断する（ステップＳ１０４）。スリープモードとは、ユーザが指定した時間になると、自動的に電源オフの指示がなされるモードである。スリープモード設定時の動作については、後述する。
【００３２】
ＣＰＵ２０は、スリープモードによる電源オフ指示ではないと判断すると（ステップＳ１０４において、Ｎｏ）、光ディスク駆動部６０に光ディスク３００が装着されているか否か判断する（ステップＳ１０６）。具体的には、ＣＰＵ２０は、光ディスク駆動部６０を制御して、光ディスク３００が装着されているか否か検出させる。ＣＰＵ２０は、光ディスク駆動部６０から出力される検出結果に基づいて、光ディスク３００の装着の有無を判断する。
【００３３】
ＣＰＵ２０は、光ディスク３００が装着されていると判断すると（ステップＳ１０６において、Ｙｅｓ）、画像処理部３０を制御して、予め用意されている、光ディスク３００が装着されている旨のメッセージ画像４００を示す画像データを、液晶パネル８４に出力させる。液晶パネル８４は、画像処理部３０から出力される画像データに基づいて、光源ランプ８２からの光を変調し、投写光学系８６を介してスクリーンに、光ディスク３００が装着されている旨のメッセージ画像４００を表示させる（ステップＳ１０８）。
【００３４】
図３は、スクリーンに表示されるメッセージ画像４００を示す説明図である。図示するように、メッセージ画像４００には、「ディスクが挿入されています。電源を切りますか？」というメッセージと、電源を切る場合の指示「はい：電源を押す」と、切らない場合の指示「いいえ：他のボタンを押す」が含まれる。
【００３５】
続いて、ＣＰＵ２０は、レンズシャッタ８６２が閉じているか否か判断する（ステップＳ１０８）。具体的には、ＣＰＵ２０は、投写光学系８６を制御して、レンズシャッタの開閉を検出させる。例えば、投写光学系８６は、レンズシャッタの備える遮光版の開閉位置を検知する位置センサ（図示しない）を備え、位置センサによってレンズシャッタの開閉を検出する。ＣＰＵ２０は、投写光学系８６から出力される検出結果に基づいて、レンズシャッタの開閉を判断する。
【００３６】
ＣＰＵ２０は、レンズシャッタが開であると判断すると（ステップＳ１１０において、Ｎｏ）、リモコン７２の電源キー操作の有無を判断する（ステップＳ１１２）。電源キー操作が無い場合には(ステップＳ１１２において、Ｎｏ)、その他のキー操作の有無を判断し（ステップＳ１１４）、その他のキー操作も無い場合には(ステップＳ１１４において、Ｎｏ)、メッセージの表示（ステップＳ１０８）から、７秒が経過しているか否か判断する(ステップＳ１１６)。
【００３７】
ＣＰＵ２０は、７秒経過していないと判断した場合には(ステップＳ１１６において、Ｎｏ)、ステップＳ１１０に戻る。すなわち、ＣＰＵ２０は、メッセージを表示させた後（ステップＳ１０８）、７秒が経過するまでは、レンズシャッタ８６２が閉じられるか、何らかのキー操作がなされない限り、ステップＳ１１０〜ステップＳ１１６の処理を繰り返す。なお、本実施例では、ステップＳ１１６において、ステップＳ１０８にてメッセージ画像４００を表示させてから７秒を経過したか否かを判断しているが、経過時間は、７秒に限定されず、所望の時間に設定可能である。
【００３８】
上記の通り、レンズシャッタ８６２が開いているため、メッセージ画像４００がスクリーンに投写されることにより、ユーザは、光ディスク駆動部６０に光ディスク３００が装着されたままの状態であることを認識する。例えば、ユーザが、光ディスク３００を取り出した後に、電源を切ろうとする場合には、リモコン７２の電源キーを操作せず、その他のキーを操作する。ＣＰＵ２０は、電源キー以外のキーが操作された旨を、リモコン制御部７０を介して受け取ると、画像処理部３０を制御して、メッセージ画像４００の表示を停止させて（ステップＳ１１８）、ステップＳ１０２へ戻る。
【００３９】
ユーザが、光ディスク駆動部６０から光ディスク３００を取り出して、再度、リモコン７２の電源キーを操作する。ＣＰＵ２０は、リモコン制御部７０を介して、電源オフ指示を受け取ると（ステップＳ１０２）、上記と同様に、スリープモードでないと判断して(ステップＳ１０４において、Ｎｏ)、光ディスク３００の有無を判断する（ステップＳ１０６）。
【００４０】
上記の通り、光ディスク３００は、取り出されており、光ディスク駆動部６０に装着されていないため、ＣＰＵ２０が光ディスク駆動部６０を制御して、光ディスク３００が装着されているか否か検出させると、光ディスク駆動部６０は、光ディスク無しの検出結果を、ＣＰＵ２０に送出する。ＣＰＵ２０は、光ディスク駆動部６０からの検出結果に基づいて、光ディスク無しと判断すると（ステップＳ１０６において、Ｎｏ）、光源ランプ８２を制御して、クールダウン処理をさせて（ステップＳ１２０）、電源部１０を制御して、プロジェクタ１００の各部に対する電力供給を停止させる（ステップＳ１２２）。これにより、プロジェクタ１００の電力供給停止処理は終了する。
【００４１】
なお、スクリーンにメッセージ画像４００が表示された後、ユーザは、光ディスク駆動部６０から光ディスク３００を取り出してから、リモコン７２の電源キーを操作してもよい。ユーザによる電源キー操作が、ステップＳ１０８において、メッセージ画像４００を表示させた後、７秒以内であれば、ＣＰＵ２０は、リモコン制御部７０を介して、ユーザからの電源オフ指示（請求項における第２回目の停止指示に相当する）を受け取り、電源キー操作有と判断して（ステップＳ１１２において、Ｙｅｓ）、ステップＳ１２０に進み、光源ランプ８２を制御して、クールダウン処理をさせて（ステップＳ１２０）、電源部１０を制御して、プロジェクタ１００の各部に対する電力供給を停止させる（ステップＳ１２２）。これにより、プロジェクタ１００の電力供給停止処理は終了する。
【００４２】
ここまでは、ユーザが、メッセージ画像４００を確認したときに、光ディスク３００を取り出してから電源を切る場合を例に挙げて説明した。次に、ユーザが、メッセージ画像４００を確認したが、光ディスク３００を取り出すことなく、電源を切る場合を例に挙げて、説明する。例えば、光ディスク３００の内容を途中まで観て、続きを別の日に観る場合など、光ディスク３００を、光ディスク駆動部６０に入れたままの状態にしたい場合が想定される。
【００４３】
ＣＰＵ２０は、ステップＳ１０２〜１０８の処理を実施して、メッセージ画像４００（図３）を、スクリーン(図示しない)に表示させる。ユーザは、光ディスク３００を光ディスク駆動部６０に入れたままの状態で、電源を切りたいと考えているため、リモコン７２の電源キーを操作する。ＣＰＵ２０は、リモコン制御部７０を介して、リモコン７２の電源キーが操作された旨（請求項における第２の停止指示に相当する）を受け取ると（ステップＳ１１２において、Ｙｅｓ）、光源ランプ８２を制御して、クールダウン処理をさせて（ステップＳ１２０）、電源部１０を制御して、プロジェクタ１００の各部に対する電力供給を停止させる（ステップＳ１２２）。これにより、プロジェクタ１００の電力供給停止処理は終了する。
【００４４】
続いて、メッセージ画像４００（図３）が、スクリーン(図示しない)に表示されたものの、ユーザがメッセージ画像４００に気づかず、その後、何らキー操作をすることなく、７秒が経過した場合を例に挙げて、説明する。光ディスク駆動部６０に光ディスク３００が入ったままの状態で、ユーザが、リモコン７２の電源キーを操作すると（請求項における、第１回目の停止指示に相当する）、ＣＰＵ２０は、リモコン制御部７０を介して、電源オフ指示を受け取って、ステップＳ１０２〜１０８の処理を実施して、メッセージ画像４００（図３）を、スクリーン(図示しない)に表示させる。
【００４５】
上記したように、ユーザは、メッセージ画像４００に気づかず、何もキー操作をしないため、ＣＰＵ２０は、メッセージ画像４００表示させた後、７秒が経過するまでは、ステップＳ１１０〜ステップＳ１１６の処理を繰り返す。ＣＰＵ２０は、７秒が経過したと判断すると（ステップＳ１１６において、Ｙｅｓ）、画像処理部３０を制御して、メッセージ画像４００の表示を停止させて（ステップＳ１１８）、ステップＳ１０２へ戻る。すなわち、第１回目の停止指示を無効にして、ＣＰＵ２０は、電源オフ指示が入力されるのを、待機する。
【００４６】
次に、プロジェクタ１００の光ディスク駆動部６０に光ディスク３００が装着されており、かつ、レンズシャッタ８６２を閉じた状態で、ユーザが、リモコン７２の電源キーを操作した場合を例に挙げて、説明する。例えば、ユーザが、プロジェクタ１００を用いて、光ディスク３００に格納された画像をスクリーンに表示させて、プレゼンテーションを行なっている途中で、レンズシャッタを閉じて、画像の表示を停止させ、そのままリモコン７２の電源キーを操作して、電源を切ろうとした場合が想定される。
【００４７】
ユーザが、リモコン７２の電源キーを操作すると、ＣＰＵ２０は、リモコン制御部７０を介して電源オフ指示（請求項における、第１回目の停止指示に相当する）を受け取り（ステップＳ１０２）、ステップＳ１０４に進む。ＣＰＵ２０はスリープモードではないと判断すると（ステップＳ１０４において、Ｎｏ）、光ディスクの有無を判断する（ステップＳ１０６）。上記の通り、光ディスク駆動部６０から、光ディスク有の検出結果を受け取ると（ステップＳ１０６において、Ｙｅｓ）、メッセージ画像４００を表示させる（ステップＳ１０８）。
【００４８】
続いて、レンズシャッタ８６２の開閉を判断する（ステップＳ１１０）。上記したように、ＣＰＵ２０は、投写光学系８６から出力される検出結果に基づいて、レンズシャッタ８６２の開閉を判断する。ＣＰＵ２０は、レンズシャッタ８６２が閉であると判断すると（ステップＳ１１０において、Ｙｅｓ）、ステップＳ１２０に進み、光源ランプ８２を制御して、クールダウン処理をさせて、電源部１０を制御して、プロジェクタ１００の各部に対する電力供給を停止させる（ステップＳ１２２）。これにより、プロジェクタ１００の電力供給停止処理は終了する。すなわち、レンズシャッタ８６２が閉じている場合には、光ディスク駆動部６０内に光ディスク３００があっても、第２回目の停止指示（ユーザによる電源キー操作）がなくても、電源部１０からの電力供給を停止させる。
【００４９】
次に、ユーザが、スリープモードで、所定の時間に電源が切れるように設定していた場合を例に挙げて説明する。ユーザが、リモコン７２を用いて、所定の時間に電源が切れるように、スリープモードを設定すると、ＣＰＵ２０は、リモコン制御部７０を介して、スリープモードが設定されたことを認知して、タイマ部９０を制御して、時間カウントを開始させる。タイマ部９０は、設定された時間になると、ＣＰＵ２０に対して、電源オフ指示を入力する。
【００５０】
ＣＰＵ２０は、電源オフ指示を受付けて（ステップＳ１０２）、スリープモードであると判断すると（ステップＳ１０４において、Ｙｅｓ）、ステップＳ１２０に進み、光源ランプ８２を制御して、クールダウン処理をさせて、電源部１０を制御して、プロジェクタ１００の各部に対する電力供給を停止させる（ステップＳ１２２）。これにより、プロジェクタ１００の電力供給停止処理は終了する。すなわち、スリープモードが設定されている場合には、設定された時間になったら、光ディスク駆動部６０内の光ディスク３００の有無に関わらず、第２回目の停止指示（ユーザによる電源キー操作）がなくても、電源部１０からの電力供給が停止される。
【００５１】
最後に、ユーザが光ディスク３００を取り出した後で、リモコン７２を用いて、電源オフの指示をした場合を例に挙げて、説明する。ＣＰＵ２０は、リモコン制御部７０を介して、ユーザからの電源オフ指示を受け取ると（ステップＳ１０２）、スリープモードによる電源オフ指示か否か判断し（ステップＳ１０４）、スリープモードによる電源オフ指示ではないと判断すると（ステップＳ１０４において、Ｎｏ）、光ディスク駆動部６０に光ディスク３００が装着されているか否か判断する（ステップＳ１０６）。ＣＰＵ２０は、光ディスク駆動部６０から光ディスク３００の装着無しの検出結果を受け取って、光ディスク３００無しと判断すると（ステップＳ１０６において、Ｎｏ）、ステップＳ１２０に進み、光源ランプ８２を制御して、クールダウン処理をさせて、電源部１０を制御して、プロジェクタ１００の各部に対する電力供給を停止させる（ステップＳ１２２）。これにより、プロジェクタ１００の電力供給停止処理は終了する。すなわち、電源オフ指示が入力されたときに、光ディスク駆動部６０に光ディスク３００が入っていなければ、第２回目の停止指示（ユーザによる電源キー操作）がなくても、電源部１０からの電力供給が停止される。
【００５２】
Ａ−３．実施例の効果：
本実施例のプロジェクタ１００によれば、光ディスク３００が光ディスク駆動部６０に入ったままの状態のときに、ユーザが、リモコン７２を用いて電源オフの指示をしても、すぐには電源部１０からの電力供給は停止されず、まず、光ディスク３００が入ったままである旨のメッセージ画像４００が表示される。したがって、ユーザは、その画像を見れば、光ディスク３００が装着されたままの状態であることを認識することができる。
【００５３】
また、本実施例のプロジェクタ１００では、メッセージ画像４００を表示させた後、すぐに電源部１０からの電力供給が停止されるのではなく、再度、ユーザが、リモコン７２を用いて、電源オフ指示をしないと電源部１０からの電力供給が停止されない。
【００５４】
仮に、プロジェクタが、メッセージ画像を表示させた後、すぐに電源部からの電力供給を停止する構成にすると、ユーザが光ディスクを取り出そうとしても、すぐに取り出すことができない。ユーザは、改めて、電源を投入して、プロジェクタが起動されるのを待ってから、光ディスクを取り出さなければならない。
【００５５】
これに対し、本実施例のプロジェクタ１００によれば、ユーザがメッセージ画像４００を見て、光ディスク３００が装着されたままの状態であることを認識したら、ユーザは、迅速かつ容易に、光ディスク３００を取り出すことができるため、ユーザの利便性が向上される。
【００５６】
また、仮に、プロジェクタがスクリーンにメッセージ画像を表示させた後、ユーザが光ディスクを取り出したらすぐに、電源部からの電力供給が停止される構成にすると、以下の問題が生じるおそれがある。例えば、プロジェクタに第１の光ディスクが入ったままの状態で、第１のユーザが電源オフ操作をし、メッセージ画像を確認しないでそのままにしている場合がある。そのとき、第三者である第２のユーザが、プロジェクタで第２の光ディスクを再生しようとすると、プロジェクタ内に第１の光ディスクが入ったままであるため、第２の光ディスクと入れ替えるために、第１の光ディスクを取り出す操作を行なう。そうすると、電源部からの電力供給が停止されてしまうため、第２のユーザは、改めて、電源を投入して、プロジェクタが起動されるのを待たなければならないため、不便である。
【００５７】
これに対し、本実施例のプロジェクタ１００では、メッセージ画像４００が表示された後、ユーザが光ディスク３００を取り出しても、すぐには電源部１０からの電力供給が停止されず、再度、ユーザが、リモコン７２を用いて、電源オフ指示をしないと電源部１０からの電力供給が停止されない。したがって、上記のような場合でも、第２のユーザは、第２の光ディスクを入れた後、迅速かつ容易に、第２の光ディスクを再生して鑑賞することができるため、ユーザの利便性が向上される。
【００５８】
また、仮に、プロジェクタがスクリーンにメッセージ画像を表示させた後、ユーザが何もキー操作を行なわないうちに、所定の時間が経過したら、電源部からの電力供給が停止される構成にすると、ユーザは、光ディスクが入りっぱなしであることに気づかないおそれがある。
【００５９】
これに対し、本実施例のプロジェクタ１００では、プロジェクタ１００がスクリーンにメッセージ画像４００を表示させた後、ユーザが何もキー操作を行なわないうちに、所定の時間（７秒）が経過した場合には、電源部１０からの電力供給は停止させず、メッセージ画像４００の表示を停止させ、ステップＳ１０２に戻って、電源オフ指示が入力されるのを待機する。すなわち、プロジェクタ１００がスクリーンにメッセージ画像４００を表示させた後、ユーザが何もキー操作を行なわないうちに、所定の時間（７秒）が経過しても、電源部１０からの電力供給は継続される。そうすると、光源ランプ８２から光が射出されているため、スクリーンには、いわゆるブルーバック等のデフォルト画像や、何らかの画像が表示されている。
【００６０】
したがって、ユーザは、電源部１０からの電力供給は継続されていることに気づく可能性が向上される。そして、電源部１０からの電力供給が継続されていることに気づいたユーザが、電源キーを操作して、ＣＰＵ２０に電源オフ指示（請求項における第１の停止指示に相当する）が入力されると、再度、スクリーンにメッセージ画像４００が表示されることになるため、ユーザが、光ディスク３００が入ったままであることに気づく可能性が向上される。
【００６１】
また、仮に、プロジェクタのレンズシャッタが閉の場合でも、光ディスク駆動部に光ディスクが入っている場合には、再度、ユーザが電源キーを操作しないと、電源部からの電力供給が停止されない構成にすると、以下の問題が生じるおそれがある。プロジェクタにおいて、レンズシャッタが閉じていると、ＣＰＵがメッセージ画像を表示させるように画像処理部を制御しても、レンズシャッタによって遮光されるため、スクリーンにメッセージ画像は表示されない。そのため、ユーザは、光ディスク駆動部に光ディスク３００が入ったままであることに気づかない。
【００６２】
さらに、ユーザは、メッセージ画像を見ていないので、何らかのキー操作を行なうこともない。そうすると、プロジェクタにおいて、電源部からの電力供給は継続される。しかしながら、レンズシャッタによって遮光されており、スクリーンには、何も表示されていないため、ユーザは、電源部からの電力供給が継続されていることに気づかないおそれがある。そして、電源部からの電力供給が継続されている状態で放置されると、光源ランプの発熱等により、プロジェクタが高温になって破損したり、投写レンズが変形するおそれがある。
【００６３】
これに対して、本実施例のプロジェクタ１００によれば、レンズシャッタ８６２が閉じている場合には、光ディスク３００が光ディスク駆動部６０に入ったままであっても、第２回目の電源オフ指示がなくても、電源部１０からの電力供給が停止されるため、上記した、プロジェクタの破損や、投写レンズの変形等の問題が生じるのを低減することができる。
【００６４】
Ｂ．変形例：
なお、本発明は上記した実施例に限られるものではなく、その要旨を逸脱しない範囲において種々の態様にて実施することが可能である。
【００６５】
（１）上記した実施例において、プロジェクタ１００は、透過型の液晶パネル８４を用いて、光源ランプ８２からの光を変調しているが、透過型の液晶パネル８４に限定されず、例えば、デジタル・マイクロミラー・デバイス（ＤＭＤ（登録商標）：Ｄｉｇｉｔａｌ  Ｍｉｃｒｏ−Ｍｉｒｒｏｒ  Ｄｅｖｉｃｅ）や、反射型の液晶パネル（ＬＣＯＳ（登録商標）：Ｌｉｑｕｉｄ  Ｃｒｙｓｔａｌ  ｏｎ  Ｓｉｌｉｃｏｎ）等を用いて、光源ランプからの光を変調する構成にしてもよい。
【００６６】
（２）上記した実施例において、プロジェクタ１００は、光ディスク３００が光ディスク駆動部６０に装着されている旨を報知する手段として、メッセージ画像４００をスクリーンに投写させる構成を例示したが、音声で報知する構成にしてもよいし、アラームを出力する構成にしてもよいし、その他種々の公知の方法で、報知することが可能である。このようにしても、上記した実施例と同様の効果を得ることができる。
【００６７】
（３）上記した実施例において、プロジェクタ１００を用いて、ＤＶＤやＢＤ等の光ディスク３００を再生して、スクリーン上に画像を表示させる場合を例示したが、光ディスク３００として、ＣＤ（コンパクトディスク：Compact Disc）を用い、プロジェクタ１００を用いて、音楽や音声を再生してもよい。例えば、プロジェクタ１００を用いて、音楽ＣＤを再生する場合に、光源ランプ８２を駆動させない場合には、音声やアラームで、光ディスク３００が光ディスク駆動部６０に装着されている旨を報知する構成にすればよい。このようにしても、ユーザは、プロジェクタ１００に光ディスク３００が入っていることを認識することができ、その後、改めて、電源を投入することなく、光ディスク３００を取り出すことができるため、ユーザの利便性が向上される。
【００６８】
（４）上記した実施例において、プロジェクタ１００はレンズシャッタ８６２を備える構成を例示したが、レンズシャッタ８６２を備えない構成にしてもよい。そのような構成にしても、上記した実施例と同様の効果を得ることができる。
【００６９】
（５）上記した実施例において、画像表示装置としてプロジェクタ１００を例示しているが、プロジェクタに限定されず、例えば、液晶ディスプレイ、有機ＥＬディスプレイ、プラズマディスプレイ等の表示部を備えるＤＶＤプレーヤ等、着脱可能な情報媒体に格納されている情報を読み出す情報媒体駆動部と、電源部とを備える種々の画像表示装置がこれに含まれる。
【００７０】
（６）上記した実施例において、着脱可能な情報媒体として、光ディスクを例示しているが、着脱可能な情報媒体としては光ディスクに限定されず、磁気テープカートリッジやリムーバブルメモリ等、種々の情報媒体がこれに含まれる。
【図面の簡単な説明】
【００７１】
【図１】本発明の一実施例としてのプロジェクタ１００の構成を示すブロック図である。
【図２】本実施例のプロジェクタ１００における電力供給停止処理の流れを説明するためのフローチャートである。
【図３】スクリーンに表示されるメッセージ画像４００を示す説明図である。
【符号の説明】
【００７２】
１０…電源部
２０…ＣＰＵ
３０…画像処理部
４０…メモリ
５０…外部信号入力部
６０…光ディスク駆動部
７０…リモコン制御部
７２…リモコン
８２…光源ランプ
８４…液晶パネル
８６…投写光学系
９０…タイマ部
９８…バス
１００…プロジェクタ
２００…商用電源
３００…光ディスク
４００…メッセージ画像
８６１…投写レンズ
８６２…レンズシャッタ
【図１】
2010003385.tif 000003
【図２】
2010003385.tif 000004
【図３】
2010003385.tif 000005